(57)【要約】【課題】  本考案は、厚手の書籍・カタログ資料等を自由な位置でしっかり押えられて、大きな図面用紙も浮き上がることなく押さえられて、なお且つペーパースタンド機能も併せ持つ、多機能な紙押え（ペーパーウエイト）を提供することを課題とする。【解決手段】  まず、ゴムストッパーの付いた2本の棒状鋼材をマグネットで分離合体できるペーパーウエイトセットを基本構成とし、この2本をずらし合わせて長さを任意に変えられるようにする。ペーパースタンド機能として、合体時の2本の隙間を利用してメモ紙や名刺等を立てたり、棒状鋼材の側面に側面ポケット（spo）という紙片立て口をもうけて1本単独でも名刺等の紙片を垂直または45度の角度をつけて卓上に立てられることを特徴とする。【選択図】    図1
0003121610.tif 000002
【実用新案登録請求の範囲】
【請求項１】
（請求項1はPWSE.1を示す。記号は「PWSE.1＝PWSE.12 + PWSE.11」を示す。全体系統図として図23を参照。概要図として図1〜4を、詳細関連図として24〜25・30〜33を、単体系統図として図35を参照のこと。）
「ペーパーウエイトセット（PWSE.1）」を請求項1とする。すなわち、図23「セット種別系統図」に示したPWSE.1の中分類タイプである「PWSE.1-2、PWSE.1-1」の2タイプを、請求項1として定義する。「PWSE.1-2」は側面ポケット（spo）の付いた仕様、「PWSE.1-1」は側面ポケット（spo）のない仕様である。
タイプPWSE.1は、図24に示すように、単体2本の隙間においてゴムストッパー(GS)部分で完全に密着して滑らないようになっており、中央マグネット（M1）部分では「間にW3の小さな隙間」を形成して磁石が直接接することなく吸引力でだけで結合するようになっている。（W3= W1-W2を示す。図30参照。）単体の棒状鋼材は、強力マグネット（M1）の磁力を増強させるヨーク（継鉄）機能も担っており、例えば磁石の種類として「希土類ネオジム丸型１個のマグネット」を使用した場合でも、磁石の吸引力のみで十分合わさり離れないほどの強い力を発現している。変化させる「長さ（Len）」の範囲は、Len＝「L1〜L2」の範囲を標準とする。
図25はPWSE.1（PWSE.1-2）の詳細図を示したものである。これは側面ポケット（spo）付の仕様であり、単体構成記号は「PWT.1-2+ PWT.2-2」となっており、この2本を1個のマグネットで合わせている。単体のペーパーウエイト（PWT.1-2）の構造について説明すると、これは「1本の直方体棒状鋼材」の表面にゴムストッパー(ＧＳ1)を「各端部5面に5個、底面に端部も含めて5個、両側面中央に2個」取り付けて、鋼材がどのような角度で紙に接してもゴムストッパーで滑らずに押えられる構造となっている。この「タイプPWT.1-2」はマグネット（M）を全く取り付けていない。片側側面には名刺等を入れて立てられる「側面ポケット（spo）」をもうける。この「側面ポケット（spo）」は、「（spo 1+spo 2+spo 3）×2＝6個」のポケット構成となっている。次にもう1本の単体タイプであるペーパーウエイト（PWT.2-2）の構造について説明すると、これは中央部左側に強力マグネット（M1）を取り付け右側にゴムストッパー（GS1）を取り付けたものであり、その他の構成は（PWT.1-2）と全く同じである。図31・32は側面ポケット（spo）の詳細を示したものである。（このペーパースタンド機能をpskno-2と称する）。図31にspo 1〜spo 3の位置関係を示す。側面向かって左から「spo 3+ spo 2+ spo 1+ spo 3 + GS+ spo 3+ spo 1+ spo 2+spo 3」の順で取り付けた構成となっている。 図32にspoシートと部分詳細を示すが、このspoは、斜視図（ａ）のspo分解図で見られるように、spoシートとspo1〜3パーツの張りあわせで形成され、材質は半透明のビニールシートである。（材質は紙材・薄板金属材等でもかまわない）。斜視図（ｂ）のポケット入り口に見られるように、spo 1は名刺を立てて入れられる幅となっており、spo 2はポケット下部を開放し名刺を斜めに入れて立てられるようになっており、spo 3は左右2箇所に名刺横幅間隔でもうけて名刺を横に立てられるようになっている。（この項の定義範囲として、図15・16で示したオプションbpo機能も含めるものとする。）
このようにセットPWSE.1-2の構造詳細を説明してきたが、「spo付の単体PWT.1-2」と「 spo付・中央M付の単体PWT.2-2」を2本合わせにしたものがセットPWSE.1-2であり、このセットPWSE.1-2に対してspoのみ無しとしたものがセットPWSE.1-1なのである。そして、「セットPWSE.1-2またはセットPWSE.1-1」を請求項1の「ペーパーウエイトセット（PWSE.1）」と定義する。
【請求項２】
（請求項2はPWSE.2を示す。記号は「PWSE.2＝PWSE.22 + PWSE.2 1」を示す。全体系統図として図23を参照。概要図として図17を、詳細関連図として図26〜27・30〜33を、単体系統図として図35を参照のこと。）
「ペーパーウエイトセット（PWSE.2）」を請求項2とする。すなわち、図23「セット種別系統図」に示した「ペーパーウエイトセット（PWSE.2）」の中分類タイプである「PWSE.2 -2、PWSE.2 -1」の2タイプを、請求項2として提示する。「PWSE.2-2」は側面ポケット（spo）の付いた仕様、「PWSE.2 -1」は側面ポケット（spo）のない仕様である。
タイプPWSE.2は、長さLen＝「L1〜L3」の範囲を標準とする。図27はPWSE.2（PWSE.2-2）の詳細図を示したものである。これは側面ポケット（spo）付の仕様であり、単体構成記号は「PWT.2-2 + PWT.2-2」となっており、この同じタイプ2本を中央部2個のマグネットで合わせている。単体のペーパーウエイト（PWT.2-2）は、請求項1で示したものと同じであり、中央部左側に強力マグネット（M1）を取り付け右側にゴムストッパー（GS1）を取り付け鋼材本体外側側面にspoをもうけたものである。つまり「中央マグネット（M1）2個」以外の部分は請求項1と同じである。
このように、「 spo付・中央M付の単体PWT.2-2」を2本合わせにしたものがセットPWSE.2-2であり、このセットPWSE.2-2に対してspoのみ無しとしたものがセットPWSE.2-1である。そして、「セットPWSE.2-2またはセットPWSE.2-1」を請求項2の「ペーパーウエイトセット（PWSE.2）」と定義する。
【請求項３】
（請求項3はPWSE.3を示す。記号は「PWSE.3＝PWSE.32 + PWSE.3 1」を示す。全体系統図として図23を参照。概要図として図20を、詳細関連図として28〜29・30〜33を、単体系統図として図35を参照のこと。）
「ペーパーウエイトセット（PWSE.3）」を請求項3とする。すなわち、図23「セット種別系統図」に示した「ペーパーウエイトセット（PWSE.3）」の中分類タイプである「PWSE.3 -2、PWSE.3 -1」の2タイプを請求項3として提示する。「PWSE.3-2」は側面ポケット（spo）の付いた仕様、「PWSE.3-1」は側面ポケット（spo）のない仕様である。
タイプPWSE.3は、長さLen＝「L1〜L4・L5」の範囲を標準とする。図29はPWSE.3（PWSE.3-2）の詳細図を示したものである。これは側面ポケット（spo）付の仕様であり、単体構成記号は「PWT.3 -2 + PWT.3-2」となっており、この同じタイプ2本を端部2個のマグネットで合わせている。単体のペーパーウエイト（PWT.3-2）は、片側端部GS1横に強力マグネット（M2）を取り付け、中央部両側面にはそれぞれGS1を取り付け、鋼材本体外側側面にspoをもうけたものである。つまり「片側端部の強力マグネット（M2）2個」以外の部分は請求項1と同じである。（なおM1、M2は取り付け位置の違いのみの表記であり、厚さや形状は全く同じである）。
このように、「 spo付・端部M付の単体PWT.3-2」を2本合わせにしたものがセットPWSE.3-2であり、このセットPWSE.3-2に対してspoのみ無しとしたものがセットPWSE.3-1である。そして、「セットPWSE.3-2またはセットPWSE.3-」1を請求項3の「ペーパーウエイトセット（PWSE.3）」と定義する。
【請求項４】
（請求項4はPWT.1を示す。単体記号は「PWT.1＝PWT.12 + PWT.11」を示す。単体系統図として図35を参照。小分類図として図36〜37を参照のこと。）
「単体のペーパーウエイト（PWT.1）」を請求項4とする。このPWT.1はマグネット無しのタイプである。すなわち、図35「単体種別系統図」に示した「ペーパーウエイト（PWT.1）」の中分類タイプである「PWT.1-2、PWT.1 -1」の2タイプを請求項4として提示する。「PWT.12」は側面ポケット（spo）の付いた仕様、「PWT.11」は側面ポケット（spo）のない仕様である。なお、単体ペーパーウエイトはペーパーウエイトセットの一部であり、この請求項4は「前述の請求項1の一部分であるタイプPWT.12 と PWT.11」を示しており、形状構造は請求項1の中で詳述しているとおり同じである。
この項では「単体PWT.1のさらに細かい仕様」を小分類図で定義する。具体的に説明すると、図37は、PWT.1（PWT.12）の小分類4種類を示したものであるが、4種すべてspo付仕様であり、PWT（ 1，2，1 ）はGS1付の仕様であり、PWT（ 1，2，2 ）はGS1付・表面樹脂ｊ付の仕様であり、PWT（ 1，2，3 ）はGS2付の仕様であり、PWT（ 1，2，4 ）はGS2付・表面樹脂ｊ付の仕様である。図36は、PWT.1（PWT.11）の小分類4種類を示したものであるが、4種すべてspo無し仕様であり、同じパターンで、PWT（ 1，1，1 ）はGS1付の仕様であり、PWT（ 1，1，2 ）はGS1付・表面樹脂ｊ付の仕様であり、PWT（ 1，1，3 ）はGS2付の仕様であり、PWT（ 1，1，4 ）はGS2付・表面樹脂ｊ付の仕様である。
このように、細かい仕様を持つ「単体PWT.1（PWT.12）または単体PWT.1（PWT.11）」を、請求項4として定義する。 
【請求項５】
（請求項5はPWT.2を示す。単体記号は「PWT.2＝PWT.22 + PWT.21」を示す。単体系統図として図35を参照。小分類図として図38〜39を参照のこと。）
「単体のペーパーウエイト（PWT.2）」を請求項5とする。このPWT.2は中央マグネット付のタイプである。すなわち、図35「単体種別系統図」に示した「ペーパーウエイト（PWT.2）」の中分類タイプである「PWT.2-2、PWT.2 -1」の2タイプを請求項5として提示する。「PWT.22」は側面ポケット（spo）の付いた仕様、「PWT.21」は側面ポケット（spo）のない仕様である。この請求項5は「前述の請求項1の一部分であるタイプPWT.22 と PWT.21」を示しており、形状構造は請求項1の中で詳述しているとおり同じである。
この項では、単体PWT.2のさらに細かい仕様を定義する。図39は、PWT.2（PWT.22）の小分類4種類を示したものであるが、4種すべてspo付仕様であり、PWT（ 2，2，1 ）はGS1付の仕様であり、PWT（ 2，2，2 ）はGS1付・表面樹脂ｊ付の仕様であり、PWT（ 2，2，3 ）はGS2付の仕様であり、PWT（ 2，2，4 ）はGS2付・表面樹脂ｊ付の仕様である。図38は、PWT.2（PWT.21）の小分類4種類を示したものであるが、4種すべてspo無し仕様であり、同じパターンで、PWT（ 2，1，1 ）はGS1付の仕様であり、PWT（ 2，1，2 ）はGS1付・表面樹脂ｊ付の仕様であり、PWT（ 2，1，3 ）はGS2付の仕様であり、PWT（ 2，1，4 ）はGS2付・表面樹脂ｊ付の仕様である。
このように、細かい仕様を持つ「単体PWT.2（PWT.22）または単体PWT.2（PWT.21）」を、請求項5として定義する。
【請求項６】
（請求項6はPWT.3を示す。単体記号は「PWT.3＝PWT.32 + PWT.31」を示す。単体系統図として図35を参照。小分類図として図40〜41を参照のこと。）
「単体のペーパーウエイト（PWT.3）」を請求項6とする。このPWT.3は端部マグネット付のタイプである。すなわち、図35「単体種別系統図」に示した「ペーパーウエイト（PWT.3）」の中分類タイプである「PWT.3-2、PWT.3 -1」の2タイプを請求項6として提示する。「PWT.32」は側面ポケット（spo）の付いた仕様、「PWT.31」は側面ポケット（spo）のない仕様である。この請求項6は、前述の請求項3の一部分（片側パーツ）であり、「タイプPWT.32 または PWT.31」を示しており、形状構造は請求項3の中で詳述しているとおり同じである。
この項で、単体PWT.3のさらに細かい仕様を定義する。図41は、PWT.3（PWT.32）の小分類4種類を示したものであるが、4種すべてspo付仕様であり、PWT（ 3，2，1 ）はGS1付の仕様であり、PWT（ 3，2，2 ）はGS1付・表面樹脂ｊ付の仕様であり、PWT（ 3，2，3 ）はGS2付の仕様であり、PWT（ 3，2，4 ）はGS2付・表面樹脂ｊ付の仕様である。図40は、PWT.3（PWT.31）の小分類4種類を示したものであるが、4種すべてspo無し仕様であり、同じパターンで、PWT（ 3，1，1 ）はGS1付の仕様であり、PWT（ 3，1，2 ）はGS1付・表面樹脂ｊ付の仕様であり、PWT（ 3，1，3 ）はGS2付の仕様であり、PWT（ 3，1，4 ）はGS2付・表面樹脂ｊ付の仕様である。
このように、細かい仕様を持つ「単体PWT.3（PWT.32）または単体PWT.3（PWT.31）」を、請求項6として定義する。
【請求項７】
（請求項7は「他の接合方式のPWSE」を示す。図34参照のこと。）
「他の接合方式（Kwaku,Gband方式）のペーパーウエイトセット（PWSE）」を請求項7とする。これは、マグネット以外の簡易方法で単体（PWT.1）を2本を合わせたセットである。すなわち、図34「他の接合方法」に示すように、オプションの「ゴムバンド（Gband）」を用いて単体（PWT.1）を2本を合わせたセット、または、オプションの「コの字型合わせ枠（Kwaku）」を用いて単体（PWT.1）を2本を合わせたセットを、請求項7として定義する。（なお、単体（PWT.1）とは「請求項4の単体（PWT.1）」を指す。）
【考案の詳細な説明】
【技術分野】
【０００１】
本考案は、「書籍、厚手のファイル資料、図面等の大サイズの用紙等」を、長さや重さを変えてしっかり押えられる「紙押え（ペーパーウエイト）」に関するものである。また、このペーパーウエイトは、「名刺やメモ紙等」の紙片を立てられる複数のペーパースタンド機能を併せ持つものである。
【背景技術】
【０００２】
従来から、書籍や紙片等を押える「紙押え（文鎮）」としては、開いた本のページをしっかり押えるものや、2本を分離合体できる文鎮などがいくつか考案されてきた。例えば、開いた書籍を押える考案として「特開2001-353984（本・ページ押え）、実開平03-108465（書籍用文鎮）、実開昭57-103899（解体自在な多用途文鎮）」がある。また、2本を分離合体して使える文鎮として「特開平11-123896（文鎮セット）、実開昭63-25599（文鎮）、実開昭61-22696（文鎮）」がある。さらに、ペーパースタンド機能を併せ持った文鎮として「実開昭61-158494（文鎮を利用したペーパースタンド）」がある。
【０００３】
これらの各考案は、読書するときや書道用文鎮として使うときに紙片等をしっかり押えることができて、それぞれの用途場面で便利に使えるものであった。
【特許文献１】特開2001-353984（本・ページ押え）
【特許文献２】特開平11-123896（文鎮セット）
【特許文献３】実開平03-108465（書籍用文鎮）
【特許文献４】実開昭63-25599（文鎮）
【特許文献５】実開昭61-158494（文鎮を利用したペーパースタンド）
【特許文献６】実開昭61-22696（文鎮）
【特許文献７】実開昭57-103899（解体自在な多用途文鎮）
【特許文献８】実開昭56-108592（ゴム製文鎮）
【考案の開示】
【考案が解決しようとする課題】
【０００４】
しかしながら、従来からの「紙押え（文鎮）」としての考案には、次のような課題（問題点）があった。（以下、書籍を押える考案を「従来の考案1」、2本を分離合体して使える文鎮を「従来の考案2」、ペーパースタンド機能を併せ持った文鎮を「従来の考案3」と分類して、従来の課題（問題点）を説明していく。）
・従来の考案1（書籍を押える考案）
・従来の考案1-1：特開2001-353984（本・ページ押え）−  この従来の考案は、持ちやすく押えやすいという使い勝手よいものだが、決まった2支点間しか押えられないため書籍や資料が厚くなると押えられない、また本体の形状上、収納するときにスペースをとりコンパクト性に欠けるという欠点（問題点）があった。
・従来の考案1-2：実開平03-108465（書籍用文鎮）−  この従来の考案は、開いた本の中央部にしか使えないという欠点（問題点）があった。
・従来の考案1-3：実開昭57-103899（解体自在な多用途文鎮）−  この従来の考案は、前考案と同じく、開いた本の中央部にしか使えないという欠点（問題点）があった。
・従来の考案2（2本を分離合体して使える文鎮）
・従来の考案2-1：特開平11-123896（文鎮セット）−  この従来の考案は、2本をつなぐ付属パーツが必要であり、つなぎ目に小さな段差ができてしまう、また長さを任意に自由に変えられないという欠点（問題点）があった。
・従来の考案2-2：実開昭63-25599（文鎮）−  この従来の考案は、オスメスの接合形式をとっているため接合部分にでこぼこができてしまい、また長さを任意に自由に変えられないという欠点（問題点）があった。
・従来の考案2-3：実開昭61-22696（文鎮）−  この従来の考案は、円棒なので転がりやすく、ネジ形式で接合するため取り付け取り外しに多少手間がかかり、また長さを任意に自由に変えられないという欠点（問題点）があった。
・従来の考案3（ペーパースタンド機能を併せ持った文鎮）
・従来の考案3-1：実開昭61-158494（文鎮を利用したペーパースタンド）−  この従来の考案は、文鎮の上部に紙片をはさむ溝を形成しているため溝の底が浅いと大きな紙片が立てられない、曲線型タイプになると逆に収納時のコンパクト性に欠けてくるという欠点（問題点）があった。
【０００５】
そこで本考案は、前述のそれぞれの欠点（問題点）を考慮して、厚手の書籍・資料等を自由な位置でしっかり押えられて、マグネットにより2本を分離合体して長さを任意に変えることで「大きな紙片（大サイズの図面等）」も押えられて、なお且つペーパースタンド機能も併せ持つ、多機能性ある「紙押え（ペーパーウエイト）」を提供することを課題とする。
【課題を解決するための手段】
【０００６】
上述の課題（問題点）を解決するために、本考案は、まずゴムストッパーの付いた2本の棒状鋼材をマグネットで分離合体できるペーパーウエイトセットを基本構成とした。「1本の直方体棒状鋼材」の表面にゴムストッパー(ＧＳ)をいくつか取り付けて滑らないようにし、棒状鋼材の側面に取り付けた強力マグネット（Ｍ）で鋼材2本を分離合体して使えるようにし、2本セットで使う場合は長さを任意に変えて使えるようにしたものである。そして、合体時の2本の隙間を利用してメモ紙や名刺等を立てることができ、また、棒状鋼材の側面に「側面ポケット（spo）」というものを取り付けて1本単独でも名刺や情報カード等の紙片を「垂直または45度の角度」をつけて卓上に立てられるようにした。
【０００７】
さらに、別の新たな機能を持つタイプも考案し、オプション定規を縦に使ってワープロ原稿等のOA紙を立られる「セットタイプ（PWSE2）」や、端部マグネット接合で2本を自由回転して凹凸面でも抑えられる「セットタイプ（PWSE3）」も考案した。
【考案の効果】
【０００８】
以上説明したように、本考案では、2本をマグネットで合わせることで、長さを任意に変えて「色々な幅の物・書籍・大サイズ用紙」等を押えることが可能となり、「2本合せ・1本単独（またはマグネット3本・4本合せ）」の組み合わせにより、重さを変えて使うこともできる。また、厚手の資料や何冊も重なった書籍などの入り組んだ段差面上でも、安定して押さえることができ、さらには、名刺やメモ紙を立てたりワープロ原稿用のOA紙を立てたりできる複数のペーパースタンド機能も同時に持ち合わせている。
【０００９】
これらにより、従来の考案にあったそれぞれの課題（問題点）を解決して幅広く使うことが可能となり、卓上の様々なデスクワークで効率的に対応できる。
【考案を実施するための最良の形態】
【００１０】
以下、本考案の実施の形態を図面に基づき詳細に説明する。
【００１１】
なお、この考案では、ペーパーウエイトのセットタイプや単体タイプを細かく系統だてて分類しており、「今回考案しているペーパーウエイト全体像」を「各タイプ系統図：図23、図35」に示している。（この系統図に上面概略図も付記している）。はじめの概要図・利用例を見られた後は、是非この系統図（図23・35）を見て全体を把握して頂きたい。
【００１２】
明細書図面のはじめでは、基本的タイプ（PWSE1）の本体概要図から説明しており、図面各所で見られる「PWSE、PWT」の記号の意味は、「PWSE」の記号は「ペーパーウエイトセットつまり2本合せた仕様」を示し、「PWT」の記号は「単独のペーパーウエイトつまり1本のペーパーウエイト仕様」を示している。ペーパーウエイトセット（PWSE）は大分類として3種類（PWSE1〜PWSE 3）あり、また、単独のペーパーウエイト（PWT）は大分類として3種類（PWT1〜PWT 3）あり中分類として6種類（PWT1-1〜PWT 3-2）ある。これらの各タイプは、「マグネットの有無や取り付け位置の違い、ペーパースタンド機能（spo）の有無」により分類されている。（特に、ペーパーウエイトセットPWSEについては系統図（図23）の上面略図記号により各タイプの違いを比較表示しており、単独のペーパーウエイトPWTについては系統図（図35）の上面略図記号によりさらに各タイプの違いを比較表示している。）
【００１３】
以降の明細書の文章段落番号は、「段落番号0014〜0029」＝「ＰＷＳＥ.1〜3についての説明 」、「段落番号0030〜0038」＝「PWT.1〜3についての説明」という内容になっている。それでは、本考案の実施の形態を、各セットタイプ「ＰＷＳＥ.1〜3」、単体タイプ「PWT.1〜3」の順に詳細に説明していく。
【００１４】
（説明項目：ペーパーウエイトセットPWSE.1）
（参考図：全体系統図として図23を参照。概要図として図1〜4を、詳細関連図として24〜25・30〜33を、単体系統図として図35を参照。）
ペーパーウエイトセットPWSE.1について説明する。図23「セット種別系統図」に示した「ペーパーウエイトセット（PWSE.1）」は、記号として「PWSE.1＝PWSE.12 + PWSE.11」を表し、PWSE.1の中分類タイプである「PWSE.1-2、PWSE.1-1」の2タイプがある。「PWSE.1-2」は側面ポケット（spo）の付いた仕様、「PWSE.1-1」は側面ポケット（spo）のない仕様である。先に機能性の高いspo付のPWSE.1-2から述べている。
【００１５】
まず、「ペーパーウエイトセット（PWSE.1）」の概要から説明すると、図1の概要図に示すように、このペーパーウエイトセットはゴムストッパーの付いた2本の棒状鋼材をマグネットで分離合体できるようにしたものである。「1本の直方体棒状鋼材（PWTの部分）」の表面にゴムストッパー(ＧＳ1)をいくつか取り付けて滑らないようにし、棒状鋼材の片側側面の中央部に強力マグネット（Ｍ1）を１個取り付け2本を分離合体できるようにし、2本をずらして合わせることで「全体の長さ（Len）」を任意に自由に変えて使えるようにしている。また、2本の隙間（W1）を利用してメモ紙や名刺を立てられるペーパースタンド機能（pskno-1：図11参照）を備え、さらに「棒状鋼材（PWT）」の片側側面に「側面ポケット（spo）」をもうけて名刺等の紙片を入れて立てられるペーパースタンド機能（pskno-2：図13・14参照）も付加した。（図2〜4はLen＝L1の長さにしたPWSE.1の概要図を示している）。PWSE.1についての概要は以上である。
【００１６】
それでは、この「ペーパーウエイトセット（PWSE.1）」の分離合体パターンと構造詳細について、説明していく。
図24はPWSE.1の２本の分離合体パターンを具体的に示したものである。この２本の隙間は、ゴムストッパー(GS)部分では完全に密着して滑らないようになっており、中央マグネット（M1）部分では「間にW3の小さな隙間」を形成して磁石が直接接することなく吸引力でだけで結合するようになっている。これにより直接金属どうしが接しないので、分離合体させるときの大きな金属衝撃音が全く起こらない。（この小さな隙間W3については図30の接合部分詳細図も参照のこと。W1-W2=W3を示している。）単体の棒状鋼材は、強力マグネット（M1）の磁力を増強させるヨーク（継鉄）機能も担っており、例えば磁石の種類として「希土類ネオジム丸型１個のマグネット」を使用した場合でも、磁石の吸引力のみで十分合わさり離れないほどの強い力を発現している。変化させる「長さ（Len）」の範囲はマグネットの個数と取り付け位置により異なり、タイプPWSE.1の場合は、Len＝「L1〜L2」の範囲を標準とする。（Len＝L1は一番短い長さを目安として示すものであり、L1に「 L1× ４分の１」分長くしたものをLen＝L2としている。このタイプはマグネットが1個のため、L2より長くすると少しづつ離れやすくなってしまう。そのためL2までを標準長さとした。）つまり、PWSE.1は長さを「L1〜L2」の範囲で安定して任意に変えられるのである。
【００１７】
図25はPWSE.1（PWSE.1-2）の詳細図を示したものである。（先に機能性の高いspo付のPWSE.1-2から説明する。以後、「PWSE（*，2）、PWT（*，2）」仕様の方から説明するが、この仕様からspo仕様を除いただけのものが、「PWSE（*，1）、PWT（*，2）」仕様である。）この「PWSE.1（ PWSE.1-2＝PWSE（*，2） ）」は、側面ポケット（spo）付の仕様であり、単体構成記号は「PWT.1-2+ PWT.2-2」となっており、この2本を1個のマグネットで合わせている。単体のペーパーウエイト（PWT.1-2）の構造について説明すると、これは「1本の直方体棒状鋼材」の表面にゴムストッパー(ＧＳ1)を「各端部5面に5個、底面に端部も含めて5個、両側面中央に2個」取り付けて、鋼材がどのような角度で紙に接してもゴムストッパーで滑らずに押えられる構造となっている。この「タイプPWT.1-2」はマグネット（M）を全く取り付けていない。片側側面には名刺等を入れて立てられる「側面ポケット（spo）」をもうける。この「側面ポケット（spo）」は、「（spo 1+spo 2+spo 3）×2＝6個」のポケット構成となっている。次にもう1本の単体タイプであるペーパーウエイト（PWT.2-2）の構造について説明すると、これは中央部左側に強力マグネット（M1）を取り付け右側にゴムストッパー（GS1）を取り付けたものであり、その他の構成は（PWT.1-2）と全く同じである。つまり、マグネットのないPWT.1-2とマグネット付の PWT.2-2を合わせてPWSE.1セットとしているのである。
【００１８】
（説明項目：側面ポケットspo）
（参考図：図12〜16、図31・32）
側面ポケットspoについて説明する。図31・32は側面ポケット（spo）の詳細を示したものである。PWSE.1に関して示しているが、PWSE.2、3についても全く同じspo構造仕様である。（このspoを使ったペーパースタンド機能をpskno-2と表記する）。図31にspo 1〜spo 3の位置関係を示す。側面向かって左から「spo 3+ spo 2+ spo 1+ spo 3 + GS+ spo 3+ spo 1+ spo 2+spo 3」の順で取り付けた構成となっている。 図32にspoシートと部分詳細を示すが、このspoは、斜視図（ａ）のspo分解図で見られるように、spoシートとspo1〜3パーツの張りあわせで形成され、材質は半透明のビニールシートである。（材質は他に紙材・薄板金属材等でもかまわない）。spoシートの高さは鋼材側面高さよりｈ1低くして、シートの小さな開きたわみが角部に出ないようにしている。（つまり手で持ったときにシートの小さな開きたわみが角部分で手に当たらないようにしている）。斜視図（ｂ）のポケット入り口に見られるように、spo 1は名刺を立てて入れられる幅となっており、spo 2はポケット下部を開放し（紙片の角端部を下に突き出すようにして）名刺を斜めに入れて立てられるようになっており、spo 3は左右2箇所に名刺横幅間隔でもうけて名刺を横に立てられるようになっている。これらspoの具体的使い方については図13・14の利用例を見て頂きたい。図15・16の方は、「オプションのビニールポケット（bpo）」を利用したもので、bpoの「２つの袋開口（bpoin1,bpoin2）」を使って更に多くの紙片を立てた例である。これは、オフィスデスクの上やフェアー会場の展示台の上等にネーム（標識）立てとしても使える。
【００１９】
このようにPWSE.1-2の構造詳細を説明してきたが、「spo付のPWT.1-2」と「 spo付・中央M付のPWT.2-2」を2本合わせにしたものがPWSE.1-2であり、このPWSE.1-2に対してspoのみ無しとしたものがPWSE.1-1なのである。この「2本セット PWSE.1」を使うことで、Len＝L2の長さまで変化させて使うことができ、用途場面に応じて「2本合わせのペーパースタンド機能（pskno-1）」や「1本単独のペーパースタンド機能（pskno-2＝spo）」が使用可能となる。
【００２０】
（説明項目：ペーパーウエイトセットPWSE.2）
（参考図：全体系統図として図23を参照。概要図として図17を、詳細関連図として26〜27・30〜33を、単体系統図として図35を参照。）
ペーパーウエイトセットPWSE.2について説明する。図23「セット種別系統図」に示した「ペーパーウエイトセット（PWSE.2）」は、記号として「PWSE.1＝PWSE.12 + PWSE.11」を表し、PWSE.2の中分類タイプである「PWSE.2-2、PWSE.2-1」の2タイプがある。「PWSE.2-2」は側面ポケット（spo）の付いた仕様、「PWSE.2-1」は側面ポケット（spo）のない仕様である。先に機能性の高いspo付のPWSE.1-2から述べている。
【００２１】
まず、「ペーパーウエイトセット（PWSE.2）」の概要について説明する。図17の概要図に示すように、このペーパーウエイトセットは中央マグネット付タイプ（PWT2）を2本合わせたもので、2個のマグネットを使うためW4の隙間間隔で左右対称に合わせることができる。そして「つまみ（T）の間やW4の隙間」を利用して定規を横・縦にして立てられるのでハガキやOA紙を立てられる新たな「ペーパースタンド機能（pskno-3：図18・19参照）」として利用できる。この機能はPWSE.2に特有のものであり、PWSE.1・PWSE3では、マグネットの個数や位置の関係上この使い方ができない）。その他の構造と機能は、前述のPWSE.1と同じである。PWSE.2についての概要は以上である。
【００２２】
次に、この「ペーパーウエイトセット（PWSE.2）」の分離合体パターンと構造詳細について、説明していく。図26はPWSE.2の２本の分離合体パターンを具体的に示したものである。タイプPWSE.2の場合は、Len＝「L1〜L3」の範囲を標準とする。（L1に「 L1× ４分の2」分長くしたものをLen＝L3としている）。つまり、PWSE.2は長さを「L1〜L3」の範囲で安定して任意に変えられるのである。
【００２３】
図27はPWSE.2（PWSE.2-2）の詳細図を示したものである。（先に機能性の高いspo付のPWSE.2-2から説明している）。これは側面ポケット（spo）付の仕様であり、単体構成記号は「PWT.2-2 + PWT.2-2」となっており、この同じタイプ2本を中央部2個のマグネットで合わせている。単体のペーパーウエイト（PWT.2-2）は、中央部左側に強力マグネット（M1）を取り付け右側にゴムストッパー（GS1）を取り付け鋼材本体外側側面にspoをもうけたものである。2本に取り付けられたマグネットM1は互いに異なる磁極とし、磁石吸引力で接合させる。構造的には、「中央マグネット（M1）2個」以外の部分はPWSE.1と同じである。
【００２４】
このように、「 spo付・中央M付のPWT.2-2」を2本合わせにしたものがPWSE.2-2であり、このPWSE.2-2に対してspoのみ無しとしたものがPWSE.2-1である。この「2本セット PWSE.2」を使うことで、Len＝L3の長さまで変化させて使うことができ、用途場面に応じて「2本合わせのペーパースタンド機能（pskno-1、pskno-3）」や「1本単独のペーパースタンド機能（pskno-2＝spo）」が使用可能となる。
【００２５】
（説明項目：ペーパーウエイトセットPWSE.3）
（参考図：全体系統図として図23を参照。概要図として図20を、詳細関連図として28〜29・30〜33を、単体系統図として図35を参照。）
ペーパーウエイトセットPWSE.3について説明する。図23「セット種別系統図」に示した「ペーパーウエイトセット（PWSE.3）」は、記号として「PWSE.3＝PWSE.32 + PWSE.31」を表し、PWSE.3の中分類タイプである「PWSE.3-2、PWSE.3-1」の2タイプがある。「PWSE.3-2」は側面ポケット（spo）の付いた仕様、「PWSE.3-1」は側面ポケット（spo）のない仕様である。先に機能性の高いspo付のPWSE.1-2から述べている。
【００２６】
まず、「ペーパーウエイトセット（PWSE.3）」の概要について説明する。図20の概要図に示すように、このペーパーウエイトセットは端部マグネット付タイプ（PWT3）を2本合わせたもので、端部マグネットを接合させることで2本を自由に回転して使える。これにより平面のみならず段差面や曲面でも「紙押え」として使うことができる。この機能はPWSE.3に特有のものである。その他の構造と機能は、前述のPWSE.1と同じである。PWSE.3についての概要は以上である。
【００２７】
次に、この「ペーパーウエイトセット（PWSE.3）」の分離合体パターンと構造詳細について、説明していく。図28はPWSE.3の２本の分離合体パターンを具体的に示したものである。タイプPWSE.3の場合は、Len＝「L1〜L4・L5」の範囲を標準とする。（L1に「 L1× ４分の3」分長くしたものをLen＝L4としている）。つまり、PWSE.3は長さを「L1〜L4・L5」の範囲で安定して任意に変えられるのである。
【００２８】
図29はPWSE.3（PWSE.3-2）の詳細図を示したものである。（先に機能性の高いspo付のPWSE.3-2から説明している）。これは側面ポケット（spo）付の仕様であり、単体構成記号は「PWT.3 -2 + PWT.3-2」となており、この同じタイプ2本を端部2個のマグネットで合わせている。単体のペーパーウエイト（PWT.3-2）は、片側端部GS1横に強力マグネット（M2）を取り付け、中央部両側面にはそれぞれGS1を取り付け、鋼材本体外側側面にspoをもうけたものである。2本に取り付けられたマグネットM2は互いに異なる磁極とし、端部マグネットをお互いに合わせ自由回転で使うことも可能とする。構造的には、「片側端部の強力マグネット（M2）2個」以外の部分はPWSE.1と同じである。（なおM1、M2は取り付け位置の違いのみの表記であり、厚さや形状は全く同じである）。
【００２９】
このように、「 spo付・端部M付のPWT.3-2」を2本合わせにしたものがPWSE.3-2であり、このPWSE.3-2に対してspoのみ無しとしたものがPWSE.3-1である。この「2本セット PWSE.3」を使うことで、Len＝L4・L5の長さまで変化させて使うことができ、用途場面に応じて「2本合わせのペーパースタンド機能（pskno-1）」や「1本単独のペーパースタンド機能（pskno-2＝spo）」が使用可能となる。
ＰＷＳＥ.1〜3についての説明は以上である。次に、PWT.1〜3について説明していく。
【００３０】
（説明項目：単体のペーパーウエイトPWT.1）
（参考図：単体系統図として図35、小分類図として図36〜37を参照）
（なお、以降のPWTに関する説明文についても、これらの文章を読み進めていく中で多くの細かい記号が現れるが、多くの似た記号に迷われた場合は、是非、全体系統図23・35の大分類記号を見返して整理して頂きたい。大きく分ければ、「ＰＷＳＥのセットタイプ3種類、PWTの単体タイプ3種類」ととても単純である。文脈としては、本考案の実施形態を「ＰＷＳＥ.1〜3、PWT.1〜3」の順番で、「構成・具体的構造」について説明している。）
では、単体のペーパーウエイト（PWT.1）について説明する。ここでは、セットの一部である単体（PWT）についてさらに詳しく述べる。このPWT.1はマグネット無しのタイプであり、記号として「PWT.1＝PWT.12 + PWT.11」を表す。すなはち図35「単体種別系統図」に示した「ペーパーウエイト（PWT.1）」の中分類タイプである「PWT.1-2、PWT.1 -1」の2タイプがある。「PWT.12」は側面ポケット（spo）の付いた仕様、「PWT.11」は側面ポケット（spo）のない仕様である。（先に機能性の高いspo付のPWT.1-2から表示している）。なお、単体ペーパーウエイトはペーパーウエイトセットの一部であり、このPWT.1は「前述のPWSE.1の一部分であるタイプPWT.12 または PWT.11」を示しており、形状構造はPWSE.1で述べた単体と同じものである。
【００３１】
「単体PWT.1のさらに細かい仕様」を小分類図で定義する。以下、「ゴムストッパーGS2、表面樹脂ｊ」という新しい記号が現れるが、「図33（GS解説）」に示すように、「ゴムストッパーGS2」とは端部又は中央部にユニット型で取り付けるものであり、「表面樹脂ｊ」とは鋼材4側面を樹脂シートで覆うものである。小分類図の方には、単体分類記号を多く示しているが、これらは「少しずつ仕様を変えたタイプを同じパターンで単純に順番に並べているだけ」であり（中身は単純な繰り返しパターンなので）、その仕様パターンを先に述べておく。単体小分類記号として「PWT *-*-* 」＝「PWT（ *，*，* ）」と表記すると、PWT（ *，*，1 ）はGS1付の仕様であり、PWT（ *，*，2 ）はGS1付・表面樹脂ｊ付の仕様であり、PWT（ *，*，3 ）はGS2付の仕様であり、PWT（ *，*，4 ）はGS2付・表面樹脂ｊ付の仕様である。そして、PWT（ *，1，* ）はspo無しの仕様であり、PWT（ *，2，* ）はspo付の仕様である。具体的に説明すると、図37は、PWT.1（PWT.12）の小分類4種類を示したものであるが、4種すべてspo付仕様であり、PWT（ 1，2，1 ）はGS1付の仕様であり、PWT（ 1，2，2 ）はGS1付・表面樹脂ｊ付の仕様であり、PWT（ 1，2，3 ）はGS2付の仕様であり、PWT（ 1，2，4 ）はGS2付・表面樹脂ｊ付の仕様である。図36は、PWT.1（PWT.11）の小分類4種類を示したものであるが、4種すべてspo無し仕様であり、同じパターンで記号表記すると、PWT（ 1，1，1 ）はGS1付の仕様であり、PWT（ 1，1，2 ）はGS1付・表面樹脂ｊ付の仕様であり、PWT（ 1，1，3 ）はGS2付の仕様であり、PWT（ 1，1，4 ）はGS2付・表面樹脂ｊ付の仕様である。
【００３２】
このように、単体PWT.1（PWT.12）またはPWT.1（PWT.11）について、小分類図で示す細かい仕様を提示した。「ユニットGS」や「表面樹脂ｊ」で棒状鋼材表面を覆うことで、製品製作過程において本体にGSを取り付ける作業が簡単になり、また、ペーパーウエイトの滑り止め機能をさらに強くすることが可能となる。
【００３３】
（説明項目：単体のペーパーウエイトPWT.2）
（参考図：単体系統図として図35、小分類図として図38〜39を参照）
単体のペーパーウエイト（PWT.2）について説明する。このPWT.2は記号として「PWT.2＝PWT.22 + PWT.21」を表し、中央マグネット付のタイプである。すなわち、図35「単体種別系統図」に示した「ペーパーウエイト（PWT.2）」の中分類タイプである「PWT.2-2、PWT.2 -1」の2タイプである。「PWT.22」は側面ポケット（spo）の付いた仕様、「PWT.21」は側面ポケット（spo）のない仕様である。（先に機能性の高いspo付のPWT.2-2から表示している）。このPWT.2は「前述のPWSE.1の一部分であるタイプPWT.22 と PWT.21」を示しており、形状構造はPWSE 1で述べた単体と同じである。
【００３４】
単体PWT.2のさらに細かい仕様を定義すると、図39は、PWT.2（PWT.22）の小分類4種類を示したものであるが、4種すべてspo付仕様であり、PWT（ 2，2，1 ）はGS1付の仕様であり、PWT（ 2，2，2 ）はGS1付・表面樹脂ｊ付の仕様であり、PWT（ 2，2，3 ）はGS2付の仕様であり、PWT（ 2，2，4 ）はGS2付・表面樹脂ｊ付の仕様である。図38は、PWT.2（PWT.21）の小分類4種類を示したものであるが、4種すべてspo無し仕様であり、同じパターンで、PWT（ 2，1，1 ）はGS1付の仕様であり、PWT（ 2，1，2 ）はGS1付・表面樹脂ｊ付の仕様であり、PWT（ 2，1，3 ）はGS2付の仕様であり、PWT（ 2，1，4 ）はGS2付・表面樹脂ｊ付の仕様である。
【００３５】
このように、単体PWT.2（PWT.22）またはPWT.2（PWT.21）について、小分類図で示す細かい仕様を提示した。「ユニットGS」や「表面樹脂ｊ」で棒状鋼材表面を覆うことで（PWT.1と同じく）、製品製作過程において本体にGSを取り付ける作業が簡単になり、また、ペーパーウエイトの滑り止め機能をさらに強くすることが可能となる。
【００３６】
（説明項目：単体のペーパーウエイトPWT.3）
（参考図：単体系統図として図35、小分類図として図40〜41を参照）
単体のペーパーウエイト（PWT.3）について説明する。このPWT.3は記号として「PWT.3＝PWT.32 + PWT.31」を表し、端部マグネット付のタイプである。すなわち、図35「単体種別系統図」に示した「ペーパーウエイト（PWT.3）」の中分類タイプである「PWT.3-2、PWT.3 -1」の2タイプである。「PWT.32」は側面ポケット（spo）の付いた仕様、「PWT.31」は側面ポケット（spo）のない仕様である。（先に機能性の高いspo付のPWT.3-2から表示している）。このPWT.3は「前述のPWSE.3の一部分（片側パーツ）であるタイプPWT.32 または PWT.31」を示しており、形状構造はPWSE .3で述べた単体と同じである。
【００３７】
単体PWT.3のさらに細かい仕様を定義すると、図41は、PWT.3（PWT.32）の小分類4種類を示したものであるが、4種すべてspo付仕様であり、PWT（ 3，2，1 ）はGS1付の仕様であり、PWT（ 3，2，2 ）はGS1付・表面樹脂ｊ付の仕様であり、PWT（ 3，2，3 ）はGS2付の仕様であり、PWT（ 3，2，4 ）はGS2付・表面樹脂ｊ付の仕様である。図40は、PWT.3（PWT.31）の小分類4種類を示したものであるが、4種すべてspo無し仕様であり、同じパターンで記号表記すると、PWT（ 3，1，1 ）はGS1付の仕様であり、PWT（ 3，1，2 ）はGS1付・表面樹脂ｊ付の仕様であり、PWT（ 3，1，3 ）はGS2付の仕様であり、PWT（ 3，1，4 ）はGS2付・表面樹脂ｊ付の仕様である。
【００３８】
このように、単体PWT.3（PWT.32）またはPWT.2（PWT.31）について、小分類図で示す細かい仕様を提示した。「ユニットGS」や「表面樹脂ｊ」で棒状鋼材表面を覆うことで（PWT.1やPET.2と同じく）、製品製作過程において本体にGSを取り付ける作業が簡単になり、また、ペーパーウエイトの滑り止め機能をさらに強くすることが可能となる。
PWT.1〜3についての説明は以上である。以下、「説明してきたＰＷＳＥ.1〜3、PWT.1〜3」の実施例を説明する。
【実施例１】
【００３９】
図1〜11はペーパーウエイトセットPWSE.1の利用例をあらわしたものである。厚手の資料・書籍や大サイズの図面用紙を押さえた例を示している。図11は2本の隙間を利用してメモ紙や名刺を立てた例である。
【実施例２】
【００４０】
図13〜16は単体のペーパーウエイトPWT.1の利用例をあらわしたものである。PWT.1側面に取り付けた「側面ポケット（spo＝pskno-1）」の具体的使い方を示している。
【実施例３】
【００４１】
図18〜19はペーパーウエイトセットPWSE.2の利用例をあらわしたものである。オプション定規を使って「2本合わせのペーパースタンド機能（pskno-3）」を具体的に示している。名刺、ハガキ、OA紙を立てた例である。
【実施例４】
【００４２】
図21〜22はペーパーウエイトセットPWSE.3の利用例をあらわしたものである。お互いの端部マグネットを合わせて自由回転の状態とし、積み重ねた書籍の段差面でも押さえられることを示している。
【産業上の利用可能性】
【００４３】
本考案は、オフィスの様々なデスクワーク等で利用することができ、例えば、多くのカタログファイル資料を整理したり、厚手の書籍を開いて扱う場合等に、浮き上がりやすい状態をしっかり抑えて使うことができる。ペーパースタンド機能を使う場合は、例えば、オフィス卓上でメモ紙・名刺・OA紙等を簡単に立てられるし、フェアー展示会場の各展示台の上やパーティー会場の各テーブルの上に「ネーム（標識）立てとして45度傾けて置く」こともできる。建築・土木設計や機械・電機設計分野の業務では、大サイズの図面用紙（A1・A2）を多く扱う場面で、ペーパーウエイトを長くして大きな用紙をしっかり押さることができ、何十枚もの青焼き用紙を使って設計の打ち合わせをする時によく苦慮している「青図の強い巻き上がり（青図は巻いて保管することが多いので打ち合わせ時に開くときは巻き上がりやすい）」をしっかり押さえる事もできる。このように、本考案は、日常の多くの業務場面で、「高い機能性を備えたペーパーウエイト（文具的製品）」として幅広く利用できるのである。
【図面の簡単な説明】
【００４４】
【図１】「ペーパーウエイト (セットタイプPWSE.1 )」 の概要図1  ・・・  中央マグネット１個付
【図２】「ペーパーウエイト (セットタイプPWSE.1 )」 の概要図2
【図３】「ペーパーウエイト (セットタイプPWSE.1 )」 の概要図3
【図４】「ペーパーウエイト (セットタイプPWSE.1 )」 の概要図4
【図５】「ペーパーウエイト（セットタイプPWSE.1）」 の利用例1
【図６】「ペーパーウエイト（セットタイプPWSE.1）」 の利用例2
【図７】「ペーパーウエイト（セットタイプPWSE.1）」 の利用例3
【図８】「ペーパーウエイト（セットタイプPWSE.1）」 の利用例4
【図９】「ペーパーウエイト（セットタイプPWSE.1）」 の利用例5
【図１０】「ペーパーウエイト（セットタイプPWSE.1）」 の利用例6
【図１１】「ペーパーウエイト（セットタイプPWSE.1）」 の利用例7
【図１２】「ペーパーウエイト（単体タイプPWSE.1）」 の概要図  ・・・  側面ポケット（ｓｐｏ）
【図１３】「ペーパーウエイト（単体タイプPWSE.1）」 の利用例1  ・・・  側面ポケット（ｓｐｏ）
【図１４】「ペーパーウエイト（単体タイプPWSE.1）」 の利用例2  ・・・  側面ポケット（ｓｐｏ）
【図１５】「ペーパーウエイト（単体タイプPWSE.1）」 の利用例3  ・・・  側面ポケット（ｓｐｏ）：オプションのビニールポケット（ｂｐｏ）部分の詳細
【図１６】「ペーパーウエイト（単体タイプPWSE.1）」 の利用例4  ・・・  側面ポケット（ｓｐｏ）：オプションのビニールポケット（ｂｐｏ）の利用例
【図１７】「ペーパーウエイト(セットタイプPWSE.2 )」 の概要図  ・・・  中央マグネット２個付
【図１８】「ペーパーウエイト(セットタイプPWSE.2 )」 の利用例1  ・・・  オプション定規を使って紙片を立てた例
【図１９】「ペーパーウエイト(セットタイプPWSE.2 )」 の利用例2  ・・・  オプション定規を使って紙片を立てた例
【図２０】「ペーパーウエイト(セットタイプPWSE.3 )」 の概要図  ・・・  端部マグネット２個付
【図２１】「ペーパーウエイト(セットタイプPWSE.3 )」 の利用例1・・・端部マグネットを互いに合わせた形状にして段差面を抑えた例
【図２２】「ペーパーウエイト(セットタイプPWSE.3 )」 の利用例2・・・端部マグネットを互いに合わせた形状にして段差面を抑えた例
【図２３】「ペーパーウエイトセット（PWSE）」の種別系統図
【図２４】「ペーパーウエイト (セットタイプPWSE.1 )」 の詳細1・・・分離合体パターン
【図２５】「ペーパーウエイト (セットタイプPWSE.1 )」 の詳細2・・・PWSE.1の詳細図
【図２６】「ペーパーウエイト (セットタイプPWSE.2 )」 の詳細1・・・分離合体パターン
【図２７】「ペーパーウエイト (セットタイプPWSE.2 )」 の詳細2・・・PWSE.2の詳細図
【図２８】「ペーパーウエイト (セットタイプPWSE.3 )」 の詳細1・・・分離合体パターン
【図２９】「ペーパーウエイト (セットタイプPWSE.3 )」 の詳細2・・・PWSE.3の詳細図
【図３０】「ペーパーウエイトセット（PWSE ）」 のマグネット接合部分詳細
【図３１】「ペーパーウエイトセット（PWSE ）」 の側面ポケット（ｓｐｏ）詳細1
【図３２】「ペーパーウエイトセット（PWSE ）」 の側面ポケット（ｓｐｏ）詳細2
【図３３】「ペーパーウエイトセット（PWSE ）」 のＧＳ部分詳細
【図３４】ペーパーウエイトセットの他の接合方法
【図３５】「単体のペーパーウエイト（PWT）」の種別系統図
【図３６】PWT.1（PWT.1-1）単体の小分類図（4種類）・・・spo無し仕様
【図３７】PWT.1（PWT.1-2）単体の小分類図（4種類）・・・spo有り仕様
【図３８】PWT.2（PWT.2-1）単体の小分類図（4種類）・・・spo無し仕様
【図３９】PWT.2（PWT.2-2）単体の小分類図（4種類）・・・spo有り仕様
【図４０】PWT.3（PWT.3-1）単体の小分類図（4種類）・・・spo無し仕様
【図４１】PWT.3（PWT.3-2）単体の小分類図（4種類）・・・spo有り仕様
【符号の説明】
【００４５】
以下の符号は、番号とアルファベット記号の2種類で示しているが、図面中ではアルファベット記号を主に使って表記している。
1.  ＰＷＴ.1 ： ペーパーウエイト1 (1本の単体タイプ)
2.  ＰＷＴ.2 ： ペーパーウエイト2 (1本の単体タイプ)
3.  ＰＷＴ.3 ： ペーパーウエイト3 (1本の単体タイプ)
4.  Ｔ ： つまみ
5.  GS 1 ： ゴムストッパー1 (単体タイプ)
6.  GS 2 ： ゴムストッパー2  (ユニットタイプ)
7.  Ｍ1 ： 強力マグネット1 (中央付)
8.  Ｍ2 ： 強力マグネット2 (端部付)
9.  ｓｐｏ ： 側面ポケット
10.  ｓｐｏｓｔ ： 側面ポケットシート
11.  ｓｐｏ1 ： 側面ポケット1
12.  ｓｐｏ2 ： 側面ポケット2
13.  ｓｐｏ3 ： 側面ポケット3
14.  PWＳＥ 1 ： ペーパーウエイトセット1 (2本のセットタイプ)
15.  PWＳＥ 2 ： ペーパーウエイトセット2 (2本のセットタイプ)
16.  PWＳＥ 3 ： ペーパーウエイトセット3 (2本のセットタイプ)
17.   bpo ： ビニールポケット
18.  bpoin1：ビニールポケット開口1
19.  bpoin2：ビニールポケット開口2
【図１】
0003121610.tif 000003
【図２】
0003121610.tif 000004
【図３】
0003121610.tif 000005
【図４】
0003121610.tif 000006
【図５】
0003121610.tif 000007
【図６】
0003121610.tif 000008
【図７】
0003121610.tif 000009
【図８】
0003121610.tif 000010
【図９】
0003121610.tif 000011
【図１０】
0003121610.tif 000012
【図１１】
0003121610.tif 000013
【図１２】
0003121610.tif 000014
【図１３】
0003121610.tif 000015
【図１４】
0003121610.tif 000016
【図１５】
0003121610.tif 000017
【図１６】
0003121610.tif 000018
【図１７】
0003121610.tif 000019
【図１８】
0003121610.tif 000020
【図１９】
0003121610.tif 000021
【図２０】
0003121610.tif 000022
【図２１】
0003121610.tif 000023
【図２２】
0003121610.tif 000024
【図２３】
0003121610.tif 000025
【図２４】
0003121610.tif 000026
【図２５】
0003121610.tif 000027
【図２６】
0003121610.tif 000028
【図２７】
0003121610.tif 000029
【図２８】
0003121610.tif 000030
【図２９】
0003121610.tif 000031
【図３０】
0003121610.tif 000032
【図３１】
0003121610.tif 000033
【図３２】
0003121610.tif 000034
【図３３】
0003121610.tif 000035
【図３４】
0003121610.tif 000036
【図３５】
0003121610.tif 000037
【図３６】
0003121610.tif 000038
【図３７】
0003121610.tif 000039
【図３８】
0003121610.tif 000040
【図３９】
0003121610.tif 000041
【図４０】
0003121610.tif 000042
【図４１】
0003121610.tif 000043
【手続補正書】
【提出日】平成18年2月9日(2006.2.9)
【手続補正１】
【補正対象書類名】実用新案登録請求の範囲
【補正対象項目名】全文
【補正方法】変更
【補正の内容】
【実用新案登録請求の範囲】
【請求項１】
「ペーパーウエイト単体PWT.1-1」を示し、1本の直方体棒状鋼材の表面にゴムストッパー(GS1)を「各端部5面に5個、底面に端部も含めて5個、両側面中央に2個」取り付けて鋼材上部中央につまみ（T）を設けたものであり、底部5支点または側面3支点で紙片を押さえることができて、また鋼材本体を45度傾けて置くこともできることを特徴とするペーパーウエイト単体。
【請求項２】
「ペーパーウエイト単体PWT.1-2」を示し、請求項1（PWT.1-1）の片側側面に側面ポケット（spo1〜3）を取り付け紙片の角や端部を挟み込んで立てることができる簡易ペーパースタンド機能を有することを特徴とするペーパーウエイト単体。
【請求項３】
「ペーパーウエイト単体PWT.2-1」を示し、請求項1（PWT.1-1）の片側中央部にある1個のGS1を1個の強力マグネット（M1）に取り換えたものであり、この中央マグネット（M1）によりもう1本の単体（PWT）と合体させて使うことができまた使わないときは鋼製壁面底部に取り付けて保管可能であることを特徴とするペーパーウエイト単体。
【請求項４】
「ペーパーウエイト単体PWT.2-2」を示し、請求項2（PWT.1-2）の片側中央部にある1個のGS1を1個の強力マグネット（M1）に取り換えたものであり、中央マグネット機能と側面ポケット機能を有することを特徴とするペーパーウエイト単体。
【請求項５】
「ペーパーウエイト単体PWT.3-1」を示し、請求項1（PWT.1-1）の片側端部の1側面GS1横に1個の強力マグネット（M2）を取り付けたものであり、端部マグネット機能を有することを特徴とするペーパーウエイト単体。
【請求項６】
「ペーパーウエイト単体PWT.3-2」を示し、請求項2（PWT.1-2）の片側端部の1側面GS1横に1個の強力マグネット（M2）を取り付けたものであり、端部マグネット機能と側面ポケット機能を有することを特徴とするペーパーウエイト単体。
【請求項７】
「ペーパーウエイトセットPWSE.1-1」を示し、請求項1（PWT.1-1）と請求項3（PWT.2-1）を1個の中央マグネット接合で2本合わせにしたものであり、2本をずらし合わせることで全体の長さを「L1〜L2」の範囲で任意に変えられることを特徴とするペーパーウエイトセット。
【請求項８】
「ペーパーウエイトセットPWSE.1-2」を示し、請求項2（PWT.1-2）と請求項4（PWT.2-2）を1個の中央マグネット接合で2本合わせにしたものであり、2本をずらし合わせることで全体の長さを「L1〜L2」の範囲で任意に変えられることができ、また側面ポケット機能を有することを特徴とするペーパーウエイトセット。
【請求項９】
「ペーパーウエイトセットPWSE.2-1」を示し、請求項3（PWT.2-1）と請求項3（PWT.2-1）を2個の中央マグネット接合で2本合わせにしたものであり、2本をずらし合わせることで全体の長さを「L1〜L3」の範囲で任意に変えられることを特徴とするペーパーウエイトセット。
【請求項１０】
「ペーパーウエイトセットPWSE.2-2」を示し、請求項4（PWT.2-2）と請求項4（PWT.2-2）を2個の中央マグネット接合で2本合わせにしたものであり、2本をずらし合わせることで全体の長さを「L1〜L3」の範囲で任意に変えられることができ、また側面ポケット機能を有することを特徴とするペーパーウエイトセット。
【請求項１１】
「ペーパーウエイトセットPWSE.3-1」を示し、請求項5（PWT.3-1）と請求項5（PWT.3-1）を2個の端部マグネット接合で2本合わせにしたものであり、2本をずらし合わせることで全体の長さを「L1〜L4・L5」の範囲で任意に変えられることを特徴とするペーパーウエイトセット。
【請求項１２】
「ペーパーウエイトセットPWSE.3-2」を示し、請求項6（PWT.3-2）と請求項6（PWT.3-2）を2個の端部マグネット接合で2本合わせにしたものであり、2本をずらし合わせることで全体の長さを「L1〜L4・L5」の範囲で任意に変えられることができ、また側面ポケット機能を有することを特徴とするペーパーウエイトセット。
【請求項１３】
請求項2（PWT.1-2）の単体2本を「コの字型合せ枠（Kwaku）」で合わせてセットにしたものであり、マグネットを使わずに長さを任意に変えられることを特徴とするペーパーウエイトセット。
【請求項１４】
請求項2（PWT.1-2）の単体2本を「ゴムバンド（Gband）」で合わせてセットにしたものであり、マグネットを使わずに長さを任意に変えられることを特徴とするペーパーウエイトセット。
【請求項１５】
「単体タイプPWT.1-2-4」を示し、請求項2（PWT.1-2）の棒状鋼材両端部にユニット式ゴムストッパー（GS2）を取り付け、つまみ（T）両側の棒状鋼材4側面を囲うようにしてユニット樹脂（ｊ）を取り付けたものであり、端部やspo以外の側面すべてをゴム樹脂で覆いストッパー機能を高めたことを特徴とするペーパーウエイト単体、またはこの直方体棒状材本体の材質を重量金属材・石材・ガラス材・アクリルプラスティック材としたペーパーウエイト単体。
【請求項１６】
「単体タイプPWT.2-2-4」を示し、請求項4（PWT.2-2）の棒状鋼材両端部にユニット式ゴムストッパー（GS2）を取り付け、つまみ（T）両側の棒状鋼材4側面を囲うようにしてユニット樹脂（ｊ）を取り付けたものであり、端部やspo以外の側面すべてをゴム樹脂で覆いストッパー機能を高めたことを特徴とするペーパーウエイト単体、またはこの直方体棒状材本体の材質を重量金属材・石材・ガラス材・アクリルプラスティック材としたペーパーウエイト単体。
【請求項１７】
「単体タイプPWT.3-2-4」を示し、請求項6（PWT.3-2）の棒状鋼材両端部にユニット式ゴムストッパー（GS2）を取り付け、つまみ（T）両側の棒状鋼材4側面を囲うようにしてユニット樹脂（ｊ）を取り付けたものであり、端部やspo以外の側面すべてをゴム樹脂で覆いストッパー機能を高めたことを特徴とするペーパーウエイト単体、またはこの直方体棒状材本体の材質を重量金属材・石材・ガラス材・アクリルプラスティック材としたペーパーウエイト単体。
【請求項１８】
請求項2（PWT.1-2）に付属品のビニールポケット（bpo）を加えたものを示し、３層ビニールシートの上部に袋開口1（bpoin1）と片側側面に袋開口2（bpoin2）を有するビニールポケット（bpo）を使って名刺カードや横長紙片を立てられるようにしたことを特徴とするペーパーウエイト単体。
【手続補正２】
【補正対象書類名】明細書
【補正対象項目名】全文
【補正方法】変更
【補正の内容】
【考案の詳細な説明】
【技術分野】
【０００１】本考案は、「書籍、厚手のファイル資料、図面等の大サイズの用紙等」を、長さや重さを変えてしっかり押えられる「紙押え（ペーパーウエイト）」に関するものである。また、このペーパーウエイトは、「名刺やメモ紙等」の紙片を立てられる複数のペーパースタンド機能を併せ持つものである。
【背景技術】
【０００２】従来から、書籍や紙片等を押える「紙押え（文鎮）」としては、開いた本のページをしっかり押えるものや、2本を分離合体できる文鎮などがいくつか考案されてきた。例えば、開いた書籍を押える考案として「特開2001-353984（本・ページ押え）、実開平03-108465（書籍用文鎮）、実開昭57-103899（解体自在な多用途文鎮）」がある。また、2本を分離合体して使える文鎮として「特開平11-123896（文鎮セット）、実開昭63-25599（文鎮）、実開昭61-22696（文鎮）」がある。さらに、ペーパースタンド機能を併せ持った文鎮として「実開昭61-158494（文鎮を利用したペーパースタンド）」がある。【０００３】これらの各考案は、読書するときや書道用文鎮として使うときに紙片等をしっかり押えることができて、それぞれの用途場面で便利に使えるものであった。【特許文献１】特開2001-353984（本・ページ押え）
【特許文献２】特開平11-123896（文鎮セット）
【特許文献３】実開平03-108465（書籍用文鎮）
【特許文献４】実開昭63-25599（文鎮）
【特許文献５】実開昭61-158494（文鎮を利用したペーパースタンド）
【特許文献６】実開昭61-22696（文鎮）
【特許文献７】実開昭57-103899（解体自在な多用途文鎮）
【特許文献８】実開昭56-108592（ゴム製文鎮）
【考案の開示】
【考案が解決しようとする課題】
【０００４】しかしながら、従来からの「紙押え（文鎮）」としての考案には、次のような課題（問題点）があった。（以下、書籍を押える考案を「従来の考案1」、2本を分離合体して使える文鎮を「従来の考案2」、ペーパースタンド機能を併せ持った文鎮を「従来の考案3」と分類して、従来の課題（問題点）を説明していく。）・従来の考案1（書籍を押える考案）・従来の考案1-1：特開2001-353984（本・ページ押え）・・・  この従来の考案は、持ちやすく押えやすいという使い勝手よいものだが、決まった2支点間しか押えられないため書籍や資料が厚くなると押えられない、また本体の形状上、収納するときにスペースをとりコンパクト性に欠けるという欠点（問題点）があった。・従来の考案1-2：実開平03-108465（書籍用文鎮）・・・  この従来の考案は、開いた本の中央部にしか使えないという欠点（問題点）があった。・従来の考案1-3：実開昭57-103899（解体自在な多用途文鎮）・・・  この従来の考案は、前考案と同じく、開いた本の中央部にしか使えないという欠点（問題点）があった。・従来の考案2（2本を分離合体して使える文鎮）・従来の考案2-1：特開平11-123896（文鎮セット）・・・  この従来の考案は、2本をつなぐ付属パーツが必要であり、つなぎ目に小さな段差ができてしまう、また長さを任意に自由に変えられないという欠点（問題点）があった。・従来の考案2-2：実開昭63-25599（文鎮）・・・  この従来の考案は、オスメスの接合形式をとっているため接合部分にでこぼこができてしまい、また長さを任意に自由に変えられないという欠点（問題点）があった。・従来の考案2-3：実開昭61-22696（文鎮）・・・  この従来の考案は、円棒なので転がりやすく、ネジ形式で接合するため取り付け取り外しに多少手間がかかり、また長さを任意に自由に変えられないという欠点（問題点）があった。・従来の考案3（ペーパースタンド機能を併せ持った文鎮）・従来の考案3-1：実開昭61-158494（文鎮を利用したペーパースタンド）・・・  この従来の考案は、文鎮の上部に紙片をはさむ溝を形成しているため溝の底が浅いと大きな紙片が立てられない、曲線型タイプになると逆に収納時のコンパクト性に欠けてくるという欠点（問題点）があった。【０００５】そこで本考案は、前述のそれぞれの欠点（問題点）を考慮して、厚手の書籍・資料等を自由な位置でしっかり押えられて、マグネットにより2本を分離合体して長さを任意に変えることで「大きな紙片（大サイズの図面等）」も押えられて、なお且つペーパースタンド機能も併せ持つ、多機能性ある「紙押え（ペーパーウエイト）」を提供することを課題とする。
【課題を解決するための手段】
【０００６】上述の課題（問題点）を解決するために、本考案は、まずゴムストッパーの付いた2本の棒状鋼材をマグネットで分離合体できるペーパーウエイトセットを基本構成とした。「1本の直方体棒状鋼材」の表面にゴムストッパー(ＧＳ)をいくつか取り付けて滑らないようにし、棒状鋼材の側面に取り付けた強力マグネット（Ｍ）で鋼材2本を分離合体して使えるようにし、2本セットで使う場合は長さを任意に変えて使えるようにしたものである。そして、合体時の2本の隙間を利用してメモ紙や名刺等を立てることができ、また、棒状鋼材の側面に「側面ポケット（spo）」というものを取り付けて1本単独でも名刺や情報カード等の紙片を「垂直または45度の角度」をつけて卓上に立てられるようにした。【０００７】さらに、別の新たな機能を持つタイプも考案し、オプション定規を縦に使ってワープロ原稿等のOA紙を立てられる「セットタイプ（PWSE2）」や、端部マグネット接合で2本を自由回転して凹凸面でも抑えられる「セットタイプ（PWSE3）」も考案した。
【考案の効果】
【０００８】以上説明したように、本考案では、2本をマグネットで合わせることで、長さを任意に変えて「色々な幅の物・書籍・大サイズ用紙」等を押えることが可能となり、「2本合せ・1本単独（またはマグネット3本・4本合せ）」の組み合わせにより、重さを変えて使うこともできる。また、厚手の資料や何冊も重なった書籍などの入り組んだ段差面上でも、安定して押さえることができ、さらには、名刺やメモ紙を立てたりワープロ原稿用のOA紙を立てたりできる複数のペーパースタンド機能も同時に持ち合わせている。【０００９】これらにより、従来の考案にあったそれぞれの課題（問題点）を解決して幅広く使うことが可能となり、卓上の様々なデスクワークで効率的に対応できる。
【考案を実施するための最良の形態】
【００１０】以下、本考案の実施の形態を図面に基づき詳細に説明する。【００１１】なお、この考案では、ペーパーウエイトのセットタイプや単体タイプを細かく系統立てて分類しており、「今回考案しているペーパーウエイト全体像」を「各タイプ系統図：図23、図37」に示している。（この系統図に上面概略図も付記している）。はじめの概要図・利用例を見られた後は、是非この系統図（図23・37）を見て全体を把握して頂きたい。【００１２】明細書図面のはじめでは、基本的タイプ（PWSE1）の本体概要図から説明しており、図面各所で見られる「PWSE、PWT」の記号の意味は、「PWSE」の記号は「ペーパーウエイトセットつまり2本合せた仕様」を示し、「PWT」の記号は「単独のペーパーウエイトつまり1本のペーパーウエイト仕様」を示している。ペーパーウエイトセット（PWSE）は大分類として3種類（PWSE1〜PWSE3）あり中分類として6種類（PWSE.1-1〜PWSE.3-2）ある。また、単独のペーパーウエイト（PWT）は大分類として3種類（PWT1〜PWT3）あり中分類として6種類（PWT.1-1〜PWT.3-2）ある。これらの各タイプは、「マグネットの有無や取り付け位置の違い、ペーパースタンド機能（spo）の有無」により分類されている。（特に、ペーパーウエイトセットPWSEについては系統図（図23）の上面略図記号により各タイプの違いを比較表示しており、単独のペーパーウエイトPWTについては系統図（図37）の上面略図記号によりさらに各タイプの違いを比較表示している。）【００１３】以降の段落番号内容は、「段落番号0014〜0020」＝「単体タイプPWT.1-1〜3-2の説明」、「段落番号0021〜0033」＝「セットタイプPWSE.1-1〜3-2の説明」となっている。それでは本考案の実施の形態を、単体タイプ・セットタイプの順に詳細に説明していく。【００１４】（説明項目：ペーパーウエイト単体PWT.1-1：同請求項1）（参考図：図37、38、44参照）「ペーパーウエイト単体PWT.1-1」は棒状鋼材の表面にゴムストッパー（GS）を取り付けたものである。この「単体PWT.1-1」は本考案の最も基本的なタイプであり、この基本タイプにマグネット（M）や側面ポケット（spo）を組み合わせて取り付けることで他のタイプが形作られている。「単体PWT.1-1」の物品形状・構造について説明すると、図38に示すように、これは「1本の直方体棒状鋼材」の表面にゴムストッパー(GS1)を「各端部5面に5個、底面に端部も含めて5個、両側面中央に2個」取り付けて、鋼材がどのような角度で紙に接してもゴムストッパーで滑らずに押えられる構造となっている。「底部5個のGS（5支点）」で書類や図面等の紙片をしっかり押さえられ、「側面3個のGS（3支点）」で押さえることもできる。この5支点・3支点での押さえ方は机上が多少湾曲していたり小さな段差があるときでも浮き上がらずに紙片を押さえられたりという特徴がある。この基本タイプはマグネット（M）を全く取り付けていないので、磁気ディスクや磁気カードを多く扱うデスクワークでも安心して使える。図44（上）はGS1の詳細を示したもので、側面図（1〜3）に示すように、45度傾けて置くこともでき、後述の側面ポケット（spo）で紙片を立てるときにも有効である。GS1の細かい形状は、２つの段差を持った円柱状の形であり、こうすることでゴムストッパーの機能を高めている。（概要図等ではGS1を簡略表現している。図44（下）の��GS2やｊ」はGS1以外のゴムストッパー仕様を示しており、これについては後述の請求項15・16・17段落で説明する。）【００１５】（説明項目：ペーパーウエイト単体PWT.1-2：同請求項2）（参考図：図37、39、34、35参照）「ペーパーウエイト単体PWT.1-2」は棒状鋼材の表面にゴムストッパー（GS）と側面ポケット（spo）を取り付けたものである。「単体PWT.1-2」の物品形状・構造について説明すると、図39に示すように、これは「単体PWT.1-1」の片側側面に側面ポケット（spo）を取り付けて機能性を高めたものであり、この側面ポケット（spo）とは薄口ビニールシート材を側面に張り合わせて紙片の角や端部を挟み込めるようにした簡易ペーパースタンド機能である。図34にspo1〜spo3の位置関係を示す。側面向かって左から「spo3+spo2+spo1+spo3 +GS+spo3+ spo1+spo2+spo3」の順で取り付けた構成となっている。図35にspoシートと部分詳細を示すが、このspoは、斜視図（ａ）のspo分解図で見られるように、spoシートとspo1〜3パーツの張りあわせで形成され、材質は半透明のビニールシートである。（材質は他に紙材・薄板金属材等でもかまわない）。spoシートの高さは鋼材側面高さよりｈ1低くして、シートの小さな開きたわみが角部に出ないようにしている。（つまり手で持ったときにシートの小さな開きたわみが角部分で手に当たらないようにしている）。斜視図（ｂ）のポケット入り口に見られるように、spo1は名刺を立てて入れられる幅となっており、spo2はポケット下部を開放し（紙片の角端部を下に突き出すようにして）名刺を斜めに入れて立てられるようになっており、spo3は左右2箇所に名刺横幅間隔でもうけて名刺を横に立てられるようになっている。これらspoの具体的使い方については図13・14の利用例を見て頂きたい。図15・16の方は、「オプションのビニールポケット（bpo）」を利用したもので、bpoの「２つの袋開口（bpoin1,bpoin2）」を使って更に多くの紙片を立てた例である。これは、オフィスデスクの上やフェアー会場の展示台の上等にネーム（標識）立てとしても使える。（なお、spo仕様は全タイプ共通である。）【００１６】（説明項目：ペーパーウエイト単体PWT.2-1：同請求項3）（参考図：図37、40参照）「ペーパーウエイト単体PWT.2-1」は棒状鋼材の表面にゴムストッパー（GS）とマグネット（M1）を取り付けたものである。「単体PWT.2-1」の物品形状・構造について説明すると、図40に示すように、これは「単体PWT.1-1」の片側中央部にある1個のGS1を「強力マグネット（M1）」に取り換えただけのものでありその他の部分はPWT.1-1と全く同じ構造である。このマグネット（M1）によりもう1本の単体（PWT）と合体させて使うことができ、また使わないときは鋼製壁面の低い位置（例えば机側面の膝下レベルのじゃまにならない位置）に取り付けて単独1本でも保管することが可能である。単体（PWT）の棒状鋼材は、強力マグネット（M1）の磁力を増強させるヨーク（継鉄）機能も担っており、例えば磁石の種類として「希土類ネオジム丸型１個のマグネット」を使用した場合でも、磁石の吸引力のみで十分合わさり離れないほどの強い力を発現している。【００１７】（説明項目：ペーパーウエイト単体PWT.2-2：同請求項4）（参考図：図37、41参照）「ペーパーウエイト単体PWT.2-2」は棒状鋼材の表面にゴムストッパー（GS）と側面ポケット（spo）と��グネット（M1）を取り付けたものである。「単体PWT.2-2」の物品形状・構造について説明すると、図41に示すように、これは「単体PWT.1-2」の片側中央部にある1個のGS1を「強力マグネット（M1）」に取り換えただけのものでありその他の部分はPWT.1-2と全く同じ構造である。【００１８】（説明項目：ペーパーウエイト単体PWT.3-1：同請求項5）（参考図：図37、42参照）「ペーパーウエイト単体PWT.3-1」は棒状鋼材の表面にゴムストッパー（GS）とマグネット（M2）を取り付けたものである。「単体PWT.3-1」の物品形状・構造について説明すると、図42に示すように、これは「単体PWT.1-1」の片側端部の1側面GS1横に「強力マグネット（M2）」を取り付けたものでありその他の部分はPWT.1-1と全く同じ構造である。【００１９】（説明項目：ペーパーウエイト単体PWT.3-2：同請求項6）（参考図：図37、43参照）「ペーパーウエイト単体PWT.3-2」は棒状鋼材の表面にゴムストッパー（GS）と側面ポケット（spo）とマグネット（M2）を取り付けたものである。「単体PWT.3-2」の物品形状・構造について説明すると、図43に示すように、これは「単体PWT.1-2」の片側端部の1側面GS1横に「強力マグネット（M2）」を取り付けたものでありその他の部分はPWT.1-2と全く同じ構造である。【００２０】PWT.1-1〜3-2についての説明は以上である【００２１】（説明項目：ペーパーウエイトセットPWSE.1-1：同請求項7）（参考図：図23、24、30、31参照。）「ペーパーウエイトセットPWSE.1-1」は、「単体PWT.1-1」と「単体PWT.2-1」をマグネットで合わせて使えるようにしたものである。図23にこのセットタイプの上面略図、図24にこのセットタイプの詳細図を示す。【００２２】図30（ａ）はPWSE.1のマグネット接合部詳細を示したもので、図31はPWSE.1-1の２本の分離合体パターンを具体的に示したものである。（接合部分や分離合体パターンはPWSE.1-1・PWSE.1-2共に同じ）。この２本の隙間は、ゴムストッパー(GS)部分では完全に密着して滑らないようになっており、中央マグネット（M1）部分では「間にW3の小さな隙間」を形成して磁石が直接接することなく吸引力でだけで結合するようになっている。これにより直接金属どうしが接しないので、分離合体させるときの大きな金属衝撃音が全く起こらない。（この小さな隙間W3については図30の接合部分詳細図も参照のこと。W1-W2=W3を示している）。前述のとおり、単体の棒状鋼材は、強力マグネット（M）の磁力を増強させるヨーク（継鉄）機能も担っているので、磁石の吸引力のみで（磁石の吸着力で接することなく）、2本を安定して分離合体できる。図31に示すように、変化させる「長さ（Len）」の範囲はマグネットの個数と取り付け位置により異なり、タイプPWSE.1の場合は、Len＝「L1〜L2」の範囲を標準とする。（Len＝L1は一番短い長さを目安として示すものであり、L1に「L1×４分の１」分長くしたものをLen＝L2としている。このタイプはマグネットが1個のため、L2より長くすると少しずつ離れやすくなってしまう。そのためL2までを標準長さとした。）つまり、PWSE.1は長さを「L1〜L2」の範囲で安定して任意に変えられるのである。【００２３】（説明項目：ペーパーウエイトセットPWSE.1-2：同請求項8）（参考図：図23、25参照。）「ペーパーウエイトセットPWSE.1-2」は、「単体PWT.1-2」と「単体PWT.2-2」をマグネットで合わせて使えるようにしたも���である。つまり「セットPWSE.1-1」に側面ポケット（spo）を取り付けて機能性を高めたものである。図23にこのセットタイプの上面略図、図25にこのセットタイプの詳細図を示す。中央部に取り付けた1つのM1により長さを「L1〜L2」の範囲で任意に変えることができ、また単体側面に取り付けたspo1〜3により紙片をいくつかのパターンで立てられる。【００２４】「セットPWSE.1-2」のマグネット接合部詳細や２本の分離合体パターンは、前述のとおり「セットPWSE.1-1」と同じである。【００２５】（説明項目：ペーパーウエイトセットPWSE.2-1：同請求項9）（参考図：図23、26、30、32参照。）「ペーパーウエイトセットPWSE.2-1」は、「単体PWT.2-1」と「単体PWT.2-1」をマグネットで合わせて使えるようにしたものである。図23にこのセットタイプの上面略図、図26にこのセットタイプの詳細図を示す。【００２６】図30（ｂ）はPWSE.2のマグネット接合部詳細を示したもので、図32はPWSE.2-1の２本の分離合体パターンを具体的に示したものである。（接合部分や分離合体パターンはPWSE.2-1・PWSE.2-2共に同じ）。タイプPWSE.2の場合は、Len＝「L1〜L3」の範囲を標準とする。（L1に「L1× ４分の2」分長くしたものをLen＝L3としている）。つまり、PWSE.2は長さを「L1〜L3」の範囲で安定して任意に変えられるのである。【００２７】（説明項目：ペーパーウエイトセットPWSE.2-2：同請求項10）（参考図：図23、27参照。）「ペーパーウエイトセットPWSE.2-2」は、「単体PWT.2-2」と「単体PWT.2-2」をマグネットで合わせて使えるようにしたものである。つまり「セットPWSE.2-1」に側面ポケット（spo）を取り付けて機能性を高めたものである。図23にこのセットタイプの上面略図、図27にこのセットタイプの詳細図を示す。中央部に取り付けた２つのM1により長さを「L1〜L3」の範囲で任意に変えることができ、また単体側面に取り付けたspo1〜3により紙片をいくつかのパターンで立てられる。【００２８】「セットPWSE.2-2」のマグネット接合部詳細や２本の分離合体パターンは、前述のとおり「セットPWSE.2-1」と同じである。【００２９】（説明項目：ペーパーウエイトセットPWSE.3-1：同請求項11）（参考図：図23、28、30、33参照。）「ペーパーウエイトセットPWSE.3-1」は、「単体PWT.3-1」と「単体PWT.3-1」をマグネットで合わせて使えるようにしたものである。図23にこのセットタイプの上面略図、図28にこのセットタイプの詳細図を示す。【００３０】図30（ｃ）はPWSE.3のマグネット接合部詳細を示したもので、図33はPWSE.3-1の２本の分離合体パターンを具体的に示したものである。（接合部分や分離合体パターンはPWSE.3-1・PWSE.3-2共に同じ）。タイプPWSE.3の場合は、Len＝「L1〜L4・L5」の範囲を標準とする。（L1に「L1×４分の3」分長くしたものをLen＝L4としている）。つまり、PWSE.3は長さを「L1〜L4・L5」の範囲で安定して任意に変えられるのである。【００３１】（説明項目：ペーパーウエイトセットPWSE.3-2：同請求項12）（参考図：図23、29参照。）「ペーパーウエイトセットPWSE.3-2」は、「単体PWT.3-2」と「単体PWT.3-2」をマグネットで合わせて使えるようにしたものである。つまり「セットPWSE.3-1」に側面ポケット（spo）を取り付けて機能性を高めたものである。図23にこのセットタイプの上面略図、図29にこのセットタイプの詳細図を示す。端部に取り付けた２つのM2により長さを「L1〜L3���の範囲で任意に変えることができ、また単体側面に取り付けたspo1〜3により紙片をいくつかのパターンで立てられる。【００３２】「セットPWSE.3-2」のマグネット接合部詳細や２本の分離合体パターンは、前述のとおり「セットPWSE.3-1」と同じである。【００３３】PWSE.1-1〜3-2についての説明は以上である【００３４】（説明項目：ペーパーウエイトの他の接合方法：同請求項13・14）（参考図：図36参照。）  図36（ａ）は、「単体PWT.1-2」を2本「コの字型合せ枠（Kwaku）」で合わせてセットにしたものである。マグネット（M1・M2）を使わずに2本合せにして長さを任意に変えられる。【００３５】図36（ｂ）は、「単体PWT.1-2」を2本「ゴムバンド（Gband）」で合わせてセットにしたものである。同じくマグネット（M1・M2）を使わずに2本合せにして長さを任意に変えられる。【００３６】（説明項目：単体 PWTの「その他の類型」：同請求項15・16・17）（参考図：図37、44（下）、45〜50参照。）これまで説明してきたPWT.1-1〜PWT.3-2以外の仕様（その他の類型）をここで新しく提示する。図45〜50は、PWT.1-1（原型）〜PWT.3-2（原型）の順番で各「その他の類型３種」を示しており、図中の「GS2・ｊ」の記号はGS1以外のゴムストッパー仕様を示している。「GS2・ｊ」の詳細形状は図44（下）に示しているが、GS2は端部５側面を覆うユニットとしたものであり、ｊは棒状鋼材4側面を覆うユニットとしたものである。これらGS2・ｊを取り付けることでゴムストッパー機能を更に高めることができ、ニット取り付けにより製造工程において製作効率を上げることができる。なおこれらの類型タイプは多岐にわたるがこの中から機能性の高いタイプを「請求項15・16・17」として提示している。【００３７】「単体タイプPWT.1-2-4（請求項15）」の構造詳細は、図46（下）に示すように「spo付である単体タイプPWT.1-2（原型）」の棒状鋼材両端部にユニット式ゴムストッパー（GS2）を取り付け、つまみ（T）両側の棒状鋼材4側面を囲うようにしてユニット樹脂（ｊ）を取り付け、樹脂（ｊ）の1側面に原型のspoを取り付けたものである。このように端部やspo以外の側面すべてをゴム樹脂で覆いストッパー機能を高めている。【００３８】「単体タイプPWT.2-2-4（請求項16）」の構造詳細は、図48（下）に示すように「spo付である単体タイプPWT.2-2（原型）」の棒状鋼材両端部にユニット式ゴムストッパー（GS2）を取り付け、つまみ（T）両側の棒状鋼材4側面を囲うようにしてユニット樹脂（ｊ）を取り付け、樹脂（ｊ）の1側面に原型のspoを取り付けたものである。前述と同じく、端部やspo以外の側面すべてをゴム樹脂で覆いストッパー機能を高めている。【００３９】「単体タイプPWT.3-2-4（請求項17）」の構造詳細は、図50（下）に示すように「spo付である単体タイプPWT.3-2（原型）」の棒状鋼材両端部にユニット式ゴムストッパー（GS2）を取り付け、つまみ（T）両側の棒状鋼材4側面を囲うようにしてユニット樹脂（ｊ）を取り付け、樹脂（ｊ）の1側面に原型のspoを取り付けたものである。前述と同じく、端部やspo以外の側面すべてをゴム樹脂で覆いストッパー機能を高めている。【００４０】（説明項目：「ビニールポケット（bpo）+単体PWT」：同請求項18）（参考図：図15、16参照。）側面ポケット（spo）のさらに有効な使い方として、「オプションのビニールポケット（bpo）」を提示する。この「オプションのビニールポケット（bpo）」は、図15に示すように３枚のビニールシートを張り合わせて上部に袋開口1（bpoin1）と片側側面に袋開口2（bpoin2）を設けて名刺カードや横長紙片を入れられるようにしたものである。このビニールポケット（bpo）を側面ポケット（spo）に入れて立てれば図16に示すように横長の標識等を立てられるなどさらに幅広い利用形態が生まれる。【００４１】（説明項目：本考案の各ペーパースタンド機能についてのまとめ）（参考図：図11、13〜16、18〜19参照。）本考案の各ペーパースタンド機能をまとめると次のように3つである。ペーパースタンド機能1（記号表現pskno.1）として「側面ポケット（spo）」を使って紙片を立てる機能（図13〜16参照）、ペーパースタンド機能2（記号表現pskno.2）として「2本のPWTの隙間」を利用して紙片を立てる機能（図11参照）、ペーパースタンド機能3（記号表現pskno.3）として「セットPWSE.2とオプション定規」を使って紙片を立てる機能（図18〜19参照）の3つである。各PWT・PWSEタイプはこれらのスタンド機能をそれぞれ付け加えてさらに効率的に利用できるのである。【００４２】以下、「前述のPWT.1〜3、ＰＷＳＥ.1〜3」の実施例を説明する。
【実施例１】
【００４３】図1〜11はペーパーウエイトセットPWSE.1の概要図・利用例をあらわしたものである。厚手の資料・書籍や大サイズの図面用紙を押さえた例を示している。図11は2本の隙間を利用してメモ紙や名刺を立てた例である。
【実施例２】
【００４４】図12〜16は単体のペーパーウエイトPWT.1の概要図・利用例をあらわしたものである。PWT.1側面に取り付けた「側面ポケット（spo＝pskno-1）」の具体的使い方を示している。
【実施例３】
【００４５】図17〜19はペーパーウエイトセットPWSE.2の概要図・利用例をあらわしたものである。オプション定規を使って「2本合わせのペーパースタンド機能（pskno-3）」を具体的に示している。名刺、ハガキ、OA紙を立てた例である。
【実施例４】
【００４６】図20〜22はペーパーウエイトセットPWSE.3の概要図・利用例をあらわしたものである。お互いの端部マグネットを合わせて自由回転の状態とし、積み重ねた書籍の段差面でも押さえられることを示している。
【産業上の利用可能性】
【００４７】本考案は、オフィスの様々なデスクワーク等で利用することができ、例えば、多くのカタログファイル資料を整理したり、厚手の書籍を開いて扱ったりする場合等に、浮き上がりやすい状態をしっかり抑えて使うことができる。ペーパースタンド機能を使う場合は、例えば、オフィス卓上でメモ紙・名刺・OA紙等を簡単に立てられるし、フェアー展示会場の各展示台の上やパーティー会場の各テーブルの上に「ネーム（標識）立てとして45度傾けて置く」こともできる。建築・土木設計や機械・電機設計分野の業務では、大サイズの図面用紙（A1・A2）を多く扱う場面で、ペーパーウエイトを長くして大きな用紙をしっかり押さることができ、何十枚もの青焼き用紙を使って設計の打ち合わせをする時によく苦慮している「青図の強い巻き上がり（青図は巻いて保管することが多いので打ち合わせ時に開くときは巻き上がりやすい）」をしっかり押さえる事もできる。このように、本考案は、日常の多くの業務場面で、「高い機能性を備えたペーパーウエイト（文具的製品）」として幅広く利用できるのである。
【図面の簡単な説明】
【００４８】
【図１】「ペーパーウエイトセット（PWSE.1）」の概要図1  ・・・  PWSE.1-2の例
【図２】「ペーパーウエイトセット（PWSE.1）」の概要図2  ・・・  PWSE.1-2の例
【図３】「ペーパーウエイトセット（PWSE.1）」の概要図3  ・・・  PWSE.1-2の例
【図４】「ペーパーウエイトセット（PWSE.1）」の概要図4  ・・・  PWSE.1-2の例
【図５】「ペーパーウエイトセット（PWSE.1）」の利用例1  ・・・  PWSE.1-1の例
【図６】「ペーパーウエイトセット（PWSE.1）」の利用例2  ・・・  PWSE.1-1の例
【図７】「ペーパーウエイトセット（PWSE.1）」の利用例3  ・・・  PWSE.1-1の例
【図８】「ペーパーウエイトセット（PWSE.1）」の利用例4  ・・・  PWSE.1-1の例
【図９】「ペーパーウエイトセット（PWSE.1）」の利用例5  ・・・  PWSE.1-1の例
【図１０】「ペーパーウエイトセット（PWSE.1〜3）」の利用例  ・・・  PWSE.1-1、2-1、3-1の例
【図１１】「ペーパーウエイトセット（PWSE）」のペーパースタンド利用例  ・・・  PWSE.1-2の例
【図１２】「ペーパーウエイト単体（PWT.1）」 の概要図  ・・・  PWT.1-2の例
【図１３】「ペーパーウエイト単体（PWT.1）」 の利用例1  ・・・  PWT.1-2の例
【図１４】「ペーパーウエイト単体（PWT.1）」 の利用例2  ・・・  PWT.1-2の例
【図１５】「ペーパーウエイト単体（PWT.1）」 の利用例3  ・・・  オプションｂｐｏの詳細
【図１６】「ペーパーウエイト単体（PWT.1）」 の利用例4  ・・・  オプションｂｐｏの利用例
【図１７】「ペーパーウエイトセット（PWSE.2）」 の概要図  ・・・  PWSE.2-1の例
【図１８】「ペーパーウエイトセット（PWSE.2）」の利用例1  ・・・  PWSE.2-1の例
【図１９】「ペーパーウエイトセット（PWSE.2）」の利用例2  ・・・  PWSE.2-1の例
【図２０】「ペーパーウエイトセット（PWSE.3）」 の概要図  ・・・  PWSE.3-1の例
【図２１】「ペーパーウエイトセット（PWSE.3）」の利用例1  ・・・  PWSE.3-1の例
【図２２】「ペーパーウエイトセット（PWSE.3）」の利用例2  ・・・  PWSE.3-1の例
【図２３】「ペーパーウエイトセット（PWSE）」の種別系統図
【図２４】「ペーパーウエイトセット（PWSE.1-1）」の詳細図
【図２５】「ペーパーウエイトセット（PWSE.1-2）」の詳細図
【図２６】「ペーパーウエイトセット（PWSE.2-1）」の詳細図
【図２７】「ペーパーウエイトセット（PWSE.2-2）」の詳細図
【図２８】「ペーパーウエイトセット（PWSE.3-1）」の詳細図
【図２９】「ペーパーウエイトセット（PWSE.3-2）」の詳細図
【図３０】「ペーパーウエイトセット（PWSE）」 のマグネット接合部分詳細
【図３１】「ペーパーウエイトセット（PWSE.1-1）」の分離合体パターン
【図３２】「ペーパーウエイトセット（PWSE.2-1）」の分離合体パターン
【図３３】「ペーパーウエイトセット（PWSE.3-1）」の分離合体パターン
【図３４】「側面ポケット（ｓｐｏ）」の詳細図1
【図３５】「側面ポケット（ｓｐｏ）」の詳細図2
【図３６】ペーパーウエイトセットの他の接合方法
【図３７】「ペーパーウエイト単体（PWT）」の種別系統図
【図３８】「ペーパーウエイト単体（PWＴ.1-1）」の詳細図
【図３９】「ペーパーウエイト単体（PWＴ.1-2）」の詳細図
【図４０】「ペーパーウエイト単体（PWＴ.2-1）」の詳細図
【図４１】「ペーパーウエイト単体（PWＴ.2-2）」の詳細図
【図４２】「ペーパーウエイト単体（PWＴ.3-1）」の詳細図
【図４３】「ペーパーウエイト単体（PWＴ.3-2）」の詳細図
【図４４】ペーパーウエイトまわりの「ＧＳ（ゴムストッパー）部分」の詳細
【図４５】PWT.1-1の他類型3種
【図４６】PWT.1-2の他類型3種
【図４７】PWT.2-1の他類型3種
【図４８】PWT.2-2の他類型3種
【図４９】PWT.3-1の他類型3種
【図５０】PWT.3-2の他類型3種
【符号の説明】
【００４９】以下の符号は、番号とアルファベット記号の2種類で示しているが、図面中ではアルファベット記号を主に使って表記している。１.    ＰＷＴ.1 ： ペーパーウエイト1 (1本の単体タイプ)２.    ＰＷＴ.2 ： ペーパーウエイト2 (1本の単体タイプ)３.    ＰＷＴ.3 ： ペーパーウエイト3 (1本の単体タイプ)４.    Ｔ ： つまみ５.    GS 1 ： ゴムストッパー1 (単体タイプ)６.    GS 2 ： ゴムストッパー2  (ユニットタイプ)７.    Ｍ1 ： 強力マグネット1 (中央付)８.    Ｍ2 ： 強力マグネット2 (端部付)９.    ｓｐｏ ： 側面ポケット１０.  ｓｐｏｓｔ：側面ポケットシート１１.  ｓｐｏ1：側面ポケット1１２.  ｓｐｏ2：側面ポケット2１３.  ｓｐｏ3：側面ポケット3１４.  PWＳＥ1：ペーパーウエイトセット1(2本のセットタイプ)１５.  PWＳＥ2：ペーパーウエイトセット2(2本のセットタイプ)１６.  PWＳＥ3：ペーパーウエイトセット3(2本のセットタイプ)１７.  bpo：ビニールポケット１８.  bpoin1：ビニールポケット開口1１９.  bpoin2：ビニールポケット開口2
【手続補正３】
【補正対象書類名】図面
【補正対象項目名】全図
【補正方法】変更
【補正の内容】
【図１】
0003121610.tif 000044
【図２】
0003121610.tif 000045
【図３】
0003121610.tif 000046
【図４】
0003121610.tif 000047
【図５】
0003121610.tif 000048
【図６】
0003121610.tif 000049
【図７】
0003121610.tif 000050
【図８】
0003121610.tif 000051
【図９】
0003121610.tif 000052
【図１０】
0003121610.tif 000053
【図１１】
0003121610.tif 000054
【図１２】
0003121610.tif 000055
【図１３】
0003121610.tif 000056
【図１４】
0003121610.tif 000057
【図１５】
0003121610.tif 000058
【図１６】
0003121610.tif 000059
【図１７】
0003121610.tif 000060
【図１８】
0003121610.tif 000061
【図１９】
0003121610.tif 000062
【図２０】
0003121610.tif 000063
【図２１】
0003121610.tif 000064
【図２２】
0003121610.tif 000065
【図２３】
0003121610.tif 000066
【図２４】
0003121610.tif 000067
【図２５】
0003121610.tif 000068
【図２６】
0003121610.tif 000069
【図２７】
0003121610.tif 000070
【図２８】
0003121610.tif 000071
【図２９】
0003121610.tif 000072
【図３０】
0003121610.tif 000073
【図３１】
0003121610.tif 000074
【図３２】
0003121610.tif 000075
【図３３】
0003121610.tif 000076
【図３４】
0003121610.tif 000077
【図３５】
0003121610.tif 000078
【図３６】
0003121610.tif 000079
【図３７】
0003121610.tif 000080
【図３８】
0003121610.tif 000081
【図３９】
0003121610.tif 000082
【図４０】
0003121610.tif 000083
【図４１】
0003121610.tif 000084
【図４２】
0003121610.tif 000085
【図４３】
0003121610.tif 000086
【図４４】
0003121610.tif 000087
【図４５】
0003121610.tif 000088
【図４６】
0003121610.tif 000089
【図４７】
0003121610.tif 000090
【図４８】
0003121610.tif 000091
【図４９】
0003121610.tif 000092
【図５０】
0003121610.tif 000093